(57)【要約】【課題】照明される領域およびその明るさを容易に把握することができる照明操作端末を提供する。【解決手段】照明操作端末１は、タッチパネル装置１０を備え、タッチパネル装置１０には照明が行われる領域を示す画像１１１が表示される。入力部１２である右ボタン１１２や左ボタン１１３が操作されると、対応する画像１１１が示す領域の照明装置の明るさが変更される。同時に、表示制御部により、画像１１１の明るさが変更され、明度表示１１４および消費電力表示１１５も更新される。画像１１１により、操作する照明装置が照明を行う領域を容易に把握することができ、さらに、画像１１１の明るさにより、照明される領域の明るさも容易に把握することができる。照明操作端末１により照明装置の色合いが操作され、同時に画像１１１の色合いが変更されてもよい。【選択図】図１
2013065465.tif 000002
【特許請求の範囲】
【請求項１】
照明装置を操作するための入力を受け付ける照明操作端末であって、
表示部と、
照明装置の明るさおよび色合いの少なくとも一方である調光状態を指示する入力を受け付ける入力部と、
前記入力部への入力に従って、指示された調光状態に対応する信号を前記照明装置に直接的または間接的に出力する信号出力部と、
前記入力部への入力に従って、前記照明装置にて照明が行われる領域を前記指示された調光状態に応じた状態にて示す画像を、前記表示部に表示させる表示制御部と、
を備えることを特徴とする照明操作端末。
【請求項２】
請求項１に記載の照明操作端末であって、
前記表示部、前記入力部、前記信号出力部および前記表示制御部が、前記照明装置の場合と同様に、前記他の照明装置に関して機能することを特徴とする照明操作端末。
【請求項３】
請求項１または２に記載の照明操作端末であって、
前記照明装置にて照明が行われる前記領域を示し、前記領域の明るさおよび色合いの少なくとも一方が互いに異なる画像群のデータが記憶可能な記憶部をさらに備え、
前記表示制御部が、前記指示された調光状態に対応する画像を前記画像群から選択して前記表示部に表示させることを特徴とする照明操作端末。
【請求項４】
請求項３に記載の照明操作端末であって、
前記記憶部が、前記画像群に含まれる各画像を前記照明装置の調光状態に関連づけるための参照テーブルを記憶することを特徴とする照明操作端末。
【請求項５】
請求項４に記載の照明操作端末であって、
外部の装置と通信を行うことにより、前記画像群および前記参照テーブルを前記外部の装置から前記記憶部に記憶させる通信部をさらに備えることを特徴とする照明操作端末。
【請求項６】
請求項３ないし５のいずれかに記載の照明操作端末であって、
前記画像群が、１つの画像から少なくとも明度または色相を変更することにより生成されたものであることを特徴とする照明操作端末。
【請求項７】
請求項１ないし６のいずれかに記載の照明操作端末であって、
前記表示制御部が、前記照明装置の調光状態を示す数値、記号または図形である補助表示を前記表示部に表示させることを特徴とする照明操作端末。
【請求項８】
請求項１ないし７のいずれかに記載の照明操作端末であって、
前記表示部および前記入力部が、１つのタッチパネル装置の一部であることを特徴とする照明操作端末。
【請求項９】
請求項１ないし８のいずれかに記載の照明操作端末であって、
時計部をさらに備え、
前記表示制御部が、前記時計部から入力される現在の時計情報に基づいて、前記現在の時計情報に対応し、かつ、前記指示された調光状態に対応する画像を前記表示部に表示させることを特徴とする照明操作端末。
【発明の詳細な説明】
【技術分野】
【０００１】
本発明は、照明装置を操作するための入力を受け付ける照明操作端末に関する。
【背景技術】
【０００２】
広いオフィスや工場等では、照明のＯＮ／ＯＦＦを操作するために、多数のスイッチが配列された操作盤が設けられる。近年、節電や作業効率向上等を目的として、多数の照明装置の明るさを個別に操作するボタン等が配列された操作端末も提案されている。このような操作盤や操作端末では、多数のスイッチやボタン（以下、「操作要素」と総称する。）が設けられるため、各操作要素がいずれの照明装置に対応しているのか把握することが容易でない場合がある。また、照明される領域と操作する場所とが離れている場合、操作要素を操作しても照明が操作される領域を把握することが容易でない場合もある。
【０００３】
誤って消灯が行われると、消灯された領域にいる人の作業が妨げられる。特に、危険な作業を行っている場合、消灯や減光は未然に防ぐことが求められる。そこで、多くの場合、照明装置と操作要素との対応関係を明りょうとするために、例えば、各操作要素に照明領域の名称が付記される。
【０００４】
また、特許文献１では、操作端末にフロアーの平面図を表示することが提案されている（図３参照）。特許文献１では、さらに、各照明機器の点消灯の状況が表示され、電力の消費状況も表示される。特許文献２では、写真やコンピュータ・グラフィックの援助により、モニタ上に各種の照明器具が配置された室内状況が再現される。そして、マウスを用いて照明器具の指定や調光設定が行われ、画像上の照明器具の表示状態が変更される。なお、調光の程度は、メニュー内の表示エリアに表示される（図４参照）。
【先行技術文献】
【特許文献】
【０００５】
【特許文献１】特開２０１０−１４５１６９号公報
【特許文献２】特開平７−７３９７８号公報
【発明の概要】
【発明が解決しようとする課題】
【０００６】
ところで、操作要素に名称を付しても、その名称を把握していない者にとっては操作要素と照明装置との対応関係は不明である。操作要素を平面図上に設ける場合においても、平面図と実際に見えるフロアのレイアウトの向きとが一致しない場合、やはり操作要素と照明装置との対応関係とを容易に把握することができない。
【０００７】
加えて、照明装置の明るさを多段階に変化させる場合、操作端末に対する操作と照明される領域の明るさとの関係が容易には把握できず、好ましい明るさに容易に調整することができない。色合いが変更可能な照明装置の場合においても同様に、好ましい色合いに容易に調整することができない。
【０００８】
本発明は、上記課題に鑑みなされたものであり、明るさや色合いを調整する領域を容易に把握することができ、また、その領域の調光状態も容易に把握することができる照明操作端末の提供を主たる目的としている。
【課題を解決するための手段】
【０００９】
請求項１に記載の発明は、照明装置を操作するための入力を受け付ける照明操作端末であって、表示部と、照明装置の明るさおよび色合いの少なくとも一方である調光状態を指示する入力を受け付ける入力部と、前記入力部への入力に従って、指示された調光状態に対応する信号を前記照明装置に直接的または間接的に出力する信号出力部と、前記入力部への入力に従って、前記照明装置にて照明が行われる領域を前記指示された調光状態に応じた状態にて示す画像を、前記表示部に表示させる表示制御部とを備える。
【００１０】
請求項２に記載の発明は、請求項１に記載の照明操作端末であって、前記表示部、前記入力部、前記信号出力部および前記表示制御部が、前記照明装置の場合と同様に、前記他の照明装置に関して機能する。
【００１１】
請求項３に記載の発明は、請求項１または２に記載の照明操作端末であって、前記照明装置にて照明が行われる前記領域を示し、前記領域の明るさおよび色合いの少なくとも一方が互いに異なる画像群のデータが記憶可能な記憶部をさらに備え、前記表示制御部が、前記指示された調光状態に対応する画像を前記画像群から選択して前記表示部に表示させる。
【００１２】
請求項４に記載の発明は、請求項３に記載の照明操作端末であって、前記記憶部が、前記画像群に含まれる各画像を前記照明装置の調光状態に関連づけるための参照テーブルを記憶する。
【００１３】
請求項５に記載の発明は、請求項４に記載の照明操作端末であって、外部の装置と通信を行うことにより、前記画像群および前記参照テーブルを前記外部の装置から前記記憶部に記憶させる通信部をさらに備える。
【００１４】
請求項６に記載の発明は、請求項３ないし５のいずれかに記載の照明操作端末であって、前記画像群が、１つの画像から少なくとも明度または色相を変更することにより生成されたものである。
【００１５】
請求項７に記載の発明は、請求項１ないし６のいずれかに記載の照明操作端末であって、前記表示制御部が、前記照明装置の調光状態を示す数値、記号または図形である補助表示を前記表示部に表示させる。
【００１６】
請求項８に記載の発明は、請求項１ないし７のいずれかに記載の照明操作端末であって、前記表示部および前記入力部が、１つのタッチパネル装置の一部である。
【００１７】
請求項９に記載の発明は、請求項１ないし８のいずれかに記載の照明操作端末であって、時計部をさらに備え、前記表示制御部が、前記時計部から入力される現在の時計情報に基づいて、前記現在の時計情報に対応し、かつ、前記指示された調光状態に対応する画像を前記表示部に表示させる。
【発明の効果】
【００１８】
本発明では、表示部に表示される画像により、照明される領域およびその調光状態を容易に把握することができる。
【図面の簡単な説明】
【００１９】
【図１】照明操作端末の正面図である。
【図２】画像の明るさが変化する様子を示す図である。
【図３】照明操作端末の構成を示す図である。
【図４】コンピュータの機能構成を示す図である。
【図５】他の例に係る照明操作端末の構成の一部を示す図である。
【図６】さらに他の例に係る照明操作端末の構成の一部を示す図である。
【図７】表示部の一部を示す図である。
【図８】コンピュータの機能構成の一部を示す図である。
【発明を実施するための形態】
【００２０】
図１は、本発明の一の実施の形態に係る照明操作端末１の正面図である。照明操作端末１は、照明装置を操作するための入力を受け付ける。照明操作端末１は、タッチパネル装置１０を備え、タッチパネル装置１０は、表示部１１および入力部１２として機能する。図１では、表示部１１に６個の画像１１１が表示され、各画像１１１の下には、右ボタン１１２および左ボタン１１３が表示される。ボタン１１２，１１３は、上の画像１１１が示す領域を照明する照明装置の明るさの操作に用いられる。すなわち、ボタン１１２，１１３が表示される領域が、照明装置の明るさを指示する入力を受け付ける入力部１２として機能する。
【００２１】
ボタン１１２，１１３の間には、照明装置の明るさの程度を示す図形である明度表示１１４が設けられる。右ボタン１１２の上側には、照明装置の最大消費電力に対する現在の概略消費電力を示す消費電力表示１１５が配置される。
【００２２】
右ボタン１１２に操作者の指が触れると、対応する画像１１１が示す領域の照明装置の明るさが増大する。同時に、画像１１１が明るい画像へと変化し、明度表示１１４の表示量が増大し、消費電力表示１１５が表示する消費電力も増大する。左ボタン１１３に操作者の指が触れると、対応する画像１１１が示す領域の照明装置の明るさが減少する。同時に、画像１１１が暗い画像へと変化し、明度表示１１４の表示量が減少し、消費電力表示１１５が表示する消費電力も減少する。図２は、画像１１１の明るさが変化する様子を示す図である。本実施の形態では、消灯状態を含めて明るさは６段階に変化するが、より多段階に変化してもよい。なお、ボタン１１２，１１３に対応する領域を常に把握可能とするために、画像１１１は、消灯した状態であっても画像１１１が示す領域を把握することができる程度の明るさを有する。
【００２３】
図１に示すように、表示部１１の下部には、３つのボタン１１６〜１１８が設けられる。これらのボタンも入力部１２の一部として機能する。左側の全消灯ボタン１１６が操作されると、全ての照明装置が消灯する。右側の全点灯ボタン１１８が操作されると、全ての照明装置が最も明るい状態で点灯する。中央の節電ボタン１１７が操作されると、全ての照明装置の明るさが１段階下がる。全点灯ボタン１１８は、例えば、職場における始業前に使用される。全消灯ボタン１１６は、例えば、最後に退社する人が利用する。節電ボタン１１７は、例えば、フロアの管理者が強制的に節電を行う際に利用される。
【００２４】
図３は、照明操作端末１の構成を示す図である。図３において、表示部１１および入力部１２は、既述のように、タッチパネル装置１０の一部として実現される。照明操作端末１は、表示制御部２１、記憶部２２、通信部２３および信号出力部２４をさらに備える。表示制御部２１は、演算装置やその周辺デバイスにより実現される。記憶部２２は、例えば、不揮発性メモリである。
【００２５】
通信部２３は、外部の装置であるコンピュータ８と通信を行うインタフェースであり、例えば、通信用の端子とその周辺デバイスである。コンピュータ８と照明操作端末１との接続は必要な時のみ行われる。照明操作端末１とコンピュータ８との通信は、メモリカード等の媒体を介して行われてもよい。信号出力部２４は、入力部１２への入力に従って、指示された明るさに対応する信号を、複数の照明制御装置９１へと個別に出力する。各照明制御装置９１は、制御対象である照明装置９２に接続され、照明制御装置９１から供給される電力が制御されることにより、照明装置９２の明るさが変更される。照明制御装置９１の機能は、照明操作端末１に組み込まれてもよい。照明操作端末１にて操作される照明装置９２の数は、変更可能である。
【００２６】
記憶部２２には、複数の画像群データ２２１が記憶可能である。各画像群データ２２１は、図２に例示するように、照明装置９２にて照明が行われる領域を示す明るさの異なる一連の画像のデータの集合である。図１の照明操作端末１の場合、６つの画像群データ２２１が記憶部２２に記憶される。記憶部２２には参照テーブル２２２も記憶される。参照テーブル２２２は、表示部１１の複数の画像１１１の明るさ（または消費電力）と、複数の画像群データ２２１が示す画像との対応関係を示す。すなわち、記憶部２２では、各画像のデータは、明るさ（または消費電力）と関連づけられた状態で記憶される。なお、実質的に明るさを示す情報であれば、各画像のデータは、様々な情報に関連づけられた状態で記憶されてよい。
【００２７】
図１において、右上の画像１１１の右ボタン１１２に操作者の指が触れた場合、その信号が入力部１２から表示制御部２１へと送られる。表示制御部２１は、表示部１１の右上の表示領域に現在表示されている画像１１１を特定する情報を記憶しており、参照テーブル２２２を参照して、右上の表示領域に対応する画像群データ２２１から現在の画像１１１よりも１段階明るい画像を示す画像データを特定する。そして、この画像が右上の表示領域に表示される。同時に、表示制御部２１の制御により、明度表示１１４が更新され、参照テーブル２２２を参照して消費電力表示１１５も更新される。また、入力部１２から信号出力部２４へと信号が送られ、右上の表示領域に対応する照明装置９２の明るさが１段階明るくなる。
【００２８】
もちろん、右ボタン１１２の操作前の状態において表示されている画像１１１が最も明るい状態を示す画像の場合、右ボタン１１２が操作されても、画像１１１、明度表示１１４および消費電力表示１１５の更新は行われない。照明装置９２の明るさの変更も行われない。
【００２９】
右上の画像１１１の左ボタン１１３に操作者の指が触れると、表示制御部２１は、参照テーブル２２２を参照して、右上の表示領域に対応する画像群データ２２１から現在の画像１１１よりも１段階暗い画像を示す画像データを特定する。そして、この画像が右上の表示領域に表示される。また、明度表示１１４が更新され、参照テーブル２２２を参照して消費電力表示１１５も更新される。入力部１２から信号出力部２４へと信号が送られ、右上の表示領域に対応する照明装置９２の明るさが１段階暗くなる。
【００３０】
左ボタン１１３の操作前の状態において表示されている画像１１１が最も暗い状態を示す画像の場合、左ボタン１１３が操作されても、画像１１１、明度表示１１４および消費電力表示１１５の更新は行われない。照明装置９２も消灯状態が維持される。
【００３１】
全点灯ボタン１１８が操作された場合、その信号が入力部１２から表示制御部２１へと送られ、表示制御部２１は、参照テーブル２２２を参照して、各画像群データ２２１から最も明るい画像を示す画像データを特定する。そして、これらの画像が対応する表示領域に表示される。同時に、明度表示１１４が更新され、参照テーブル２２２を参照して消費電力表示１１５も更新される。入力部１２から信号出力部２４へと信号が送られ、全照明装置９２の明るさが最も明るくなる。
【００３２】
全消灯ボタン１１６が操作された場合は、全点灯ボタン１１８の場合の動作に準じて、全ての画像１１１、明度表示１１４および消費電力表示１１５が更新され、全照明装置９２が消灯する。節電ボタン１１７が操作された場合は、表示制御部２１により全ての左ボタン１１３が押された場合と同様の動作が行われ、全ての画像１１１、明度表示１１４および消費電力表示１１５が１段階下げられ、信号出力部２４により、全照明装置９２の明るさが１段階下がる。
【００３３】
以上のように、照明操作端末１では、入力部１２への入力に従って、信号出力部２４が、指示された明るさに対応する信号を照明装置９２に向けて出力し、これに同期して、表示制御部２１が、照明装置９２にて照明が行われる領域を指示された明るさに応じた明るさにて示す画像１１１を、表示部１１に表示させる。具体的には、表示制御部２１が、指示された明るさに対応する画像を画像群データ２２１が示す一連の画像から選択して表示部１１に表示させる。表示部１１、入力部１２、信号出力部２４および表示制御部２１は、各照明装置９２に対して個別かつ同様に機能する。
【００３４】
図４は、コンピュータ８の機能構成を示す図である。コンピュータ８は、画像生成部８１、記憶部８２および通信部８３を備える。画像生成部８１は、ＣＰＵ、メモリ、これらの周辺デバイス等により実現される。記憶部８２は、メモリや固定ディスク装置等に対応する。通信部８３は、通信用の端子やその周辺デバイス等に対応する。
【００３５】
画像生成部８１は、明度変更部８１１およびコントラスト変更部８１２を含む。明度変更部８１１は画像の明度を変更する。コントラスト変更部８１２は画像のコントラストを変更する。
【００３６】
記憶部８２は、最初の段階において基準画像データ３１を記憶する。基準画像データ３１は、照明装置９２により照明が行われる領域を示す画像のデータであり、例えば、デジタルカメラにより撮影された画像データがメモリカード等を介してコンピュータ８に取り込まれることにより、記憶部８２に記憶される。図１の照明操作端末１の場合、６つの基準画像データ３１が準備される。
【００３７】
コンピュータ８の操作者が専用のアプリケーションを起動して操作を行うことにより、明度変更部８１１およびコントラスト変更部８１２が基準画像データ３１が示す基準画像の明度およびコントラストを変更し、複数の変更画像データ３２が生成される。変更画像データ３２が示す変更画像は、図２の一連の画像１１１に対応し、複数の変更画像データ３２は、図３の１つの画像群データ２２１に対応する。画像生成部８１による処理では、原則として、明度の高い画像ほどコントラストが高くなるように画像処理が行われる。
【００３８】
コンピュータ８では、複数の基準画像データ３１のそれぞれに対して一連の変更画像データ３２の生成が行われる。また、各基準画像に対応する照明装置９２の最大消費電力が操作者によりコンピュータ８に入力され、画像生成部８１は、各変更画像と、対応する明度および消費電力との関係を示す参照テーブル３３を生成する。変更画像データ３２の複数の集合および参照テーブル３３は、通信部８３を介して照明操作端末１へと転送され、図３の記憶部２２に複数の画像群データ２２１および参照テーブル２２２として記憶される。これにより、各画像群データ２２１が示す各画像が、照明装置９２の明るさに関連づけられて記憶部２２に記憶される。
【００３９】
以上に説明したように、照明操作端末１では、照明装置９２の明るさを操作するための操作要素である右ボタン１１２および左ボタン１１３の各組み合わせに対応付けられるようにして照明装置９２が照明を行う領域の画像１１１が表示されるため、操作要素がいずれの領域の明るさの変更に用いられるか容易に把握することができる。これにより、操作経験のない人が操作を行う場合であっても的確に操作を行うことができる。誤った消灯により照明領域における作業者の作業が妨げられることも防止される。
【００４０】
特に、画像１１１を照明操作端末１の位置から撮影した画像とすることにより、より容易に照明領域を把握することができる。その結果、子供やお年寄りであっても照明領域を一目瞭然にて把握することが可能となる。なお、画像１１１を表示することにより、照明操作端末１から見えない領域を照明する照明装置９２の操作も容易に行うことができる。
【００４１】
また、照明装置９２の明るさの変更に合わせて画像１１１の明るさも変化するため、調光される領域の明るさを容易に把握することができる。その結果、調光操作を速やかに行うことができる。特に、照明操作端末１から照明領域が見えない場合であっても、およその調光状態を把握することができる。さらに、各照明装置９２の消費電力の表示も行われるため、効率よく消費電力を削減することができる。明度表示１１４が設けられることにより、明るさを正確に把握することも実現される。消費電力の表示からも明るさを正確に把握することができる。
【００４２】
画像群データ２２１は、１つの基準画像データ３１からコンピュータ８によりほぼ自動的に生成されるため、照明装置９２の明るさ毎に撮影を行う必要がなく、容易に画像群データ２２１を準備することができる。また、フロアの模様替え等が行われた場合であっても、撮影を行って基準画像データ３１を更新することにより、容易に画像１１１の表示を新たなレイアウトに対応したものへと更新することができる。
【００４３】
表示部１１および入力部１２は、タッチパネル装置１０により実現されるため、照明操作端末１の外観を簡素化することができる。また、画像１１１や各種ボタンの配置も自在に変更することができる。
【００４４】
図１では、６つの画像１１１が表示されるが、表示制御部２１のレイアウト決定部２１１（図３参照）により、画像群データ２２１の数に応じて画像１１１の表示個数および表示位置は自動的に変更される。例えば、画像群データ２２１の数が４の場合、４組の画像１１１、ボタン１１２，１１３、明度表示１１４および消費電力表示１１５が２行２列に表示される。画像群データ２２１の数が３の場合、２行２列の４個の領域のうちの３つに画像１１１等が表示される。
【００４５】
表示部１１の各領域に表示される画像１１１と照明装置９２との対応関係は、コンピュータ８にて変更画像データ３２が生成される際に操作者により入力され、参照テーブル３３に記録される。もちろん、照明操作端末１に対して操作者が操作を行うことにより、各領域に表示される画像１１１と照明装置９２との対応関係が決定されてもよい。
【００４６】
図５は、他の例に係る照明操作端末１の一部を示す図である。図５の照明操作端末１では、図３の各画像群データ２２１に代えて、朝画像群データ２２１ａ、昼画像群データ２２１ｂ、夕画像群データ２２１ｃおよび夜画像群データ２２１ｄの組み合わせが記憶部２２に記憶される。また、表示制御部２１には時計部２５から現在の時計情報（年、月、日、曜日、時刻）が入力される。照明操作端末１のその他の構成および機能は図３と同様である。
【００４７】
朝画像群データ２２１ａは、対応する照明装置９２が照明を行う領域の朝の様子を示す一連の画像のデータである。昼画像群データ２２１ｂ、夕画像群データ２２１ｃおよび夜画像群データ２２１ｄはそれぞれ同じ領域の昼、夕方、夜の様子を示す。各画像群データは、図４の場合と同様に、朝の様子を示す基準画像データ、昼の様子を示す基準画像データ、夕方の様子を示す基準画像データ、および、夜の様子を示す基準画像データからコンピュータ８により生成される。
【００４８】
表示制御部２１は、時計部２５から入力される現在時刻が属する時間帯に応じて、表示部１１への表示に用いられる画像群データを、朝画像群データ２２１ａ、昼画像群データ２２１ｂ、夕画像群データ２２１ｃおよび夜画像群データ２２１ｄから選択する。例えば、６〜１０時の間は朝画像群データ２２１ａから画像１１１が選択され、１０〜１５時の間は昼画像群データ２２１ｂから画像１１１が選択され、１５〜１８時の間は夕画像群データ２２１ｃから画像１１１が選択され、１８〜翌朝６時までの間は夜画像群データ２２１ｄから画像１１１が選択される。もちろん、これらの時間帯は、季節や月、週、曜日に応じて変更されてよい。
【００４９】
照明装置９２が照明を行う領域を示す画像１１１として、現在時刻を含む時間帯に対応し、かつ、指示された明るさに対応する画像が選択されて表示されることにより、照明される領域の様子を時間帯に合わせて容易に確認することができる。その結果、例えば、日光が室内に入り込むにも関わらず照明を明るくし過ぎることが防止され、消費電力の削減をより効率よく行うことができる。また、調光状態をより正確に把握することができる。
【００５０】
なお、季節に応じて照明の色合いや明るさを変化させる制御が行われる場合、季節毎の画像群データを準備し、季節に応じた画像群データが選択された上で画像１１１が表示されてもよい。例えば、照明装置９２の発光素子として、発光色が白色のＬＥＤと発光色が温白色のＬＥＤとを組み合わせ、夏場は白色のＬＥＤの輝度を高め、冬場は温白色のＬＥＤの輝度を高める等して季節に応じて混合光の色合いを変化させる制御が行われる場合において、春画像群データ、夏画像群データ、秋画像群データおよび冬画像群データが準備される。そして、季節に応じた画像群データを選択して画像１１１を表示することにより、季節に応じた調光状態をより正確に把握することが実現される。もちろん、これらの制御は、季節だけでなく、月、週、曜日に応じて制御されてもよい。
【００５１】
図６は、さらに他の例に係る照明操作端末１の一部を示す図である。図６の照明操作端末１では、記憶部２２と表示制御部２１との間に画像生成部２６が設けられ、入力部１２からの信号は画像生成部２６にも入力される。記憶部２２には基準画像データ３１のみが記憶される。照明操作端末１のその他の構成および機能は図３と同様である。画像生成部２６は、図４の画像生成部８１と同様に、明度変更部およびコントラスト変更部を含む。
【００５２】
照明操作端末１では、図１に示すいずれかの画像１１１に対応する右ボタン１１２が操作されると、画像生成部２６が対応する基準画像データ３１を取り込んで現在表示されている画像１１１よりも明るい画像１１１のデータを生成する。そして、表示制御部２１によりこの新しい画像１１１、並びに、更新された明度表示１１４および消費電力表示１１５が表示部１１に表示される。左ボタン１１３が操作された場合は、画像生成部２６が対応する基準画像データ３１を取り込んで現在表示されている画像１１１よりも暗い画像１１１のデータを生成し、表示制御部２１により新しい画像１１１等が表示部１１に表示される。
【００５３】
このように、照明操作端末１では、図３の場合と異なり、ボタン１１２，１１３が操作される度に更新される画像のデータが画像生成部２６により生成される。これにより、フロアの模様替え等の際に、各照明装置９２が照明を行う領域を示す画像を照明操作端末１に入力するのみでフロアの新たなレイアウトに対応することができる。その結果、照明操作端末１に対する作業を大幅に簡素化することができる。
【００５４】
なお、全消灯ボタン１１６、節電ボタン１１７および全点灯ボタン１１８が操作された場合も、画像生成部２６が、表示すべき画像のデータを生成して表示部１１の各領域に画像１１１が表示される。
【００５５】
上記実施の形態では、照明操作端末１にて照明装置９２の明るさのみが操作されるが、ＬＥＤ照明装置のように色合いが変更可能な場合、照明操作端末１により、明るさと色合いの双方が操作されてもよい。また、照明操作端末１により、照明装置９２の色合いのみが操作されてもよい。すなわち、照明装置９２の調光状態として、明るさおよび色合いの少なくとも一方が操作される。以下、照明装置９２の調光状態として明るさおよび色合いが操作される場合について説明する。
【００５６】
照明操作端末１にて照明装置９２の明るさおよび色合いが操作される場合、図１の照明操作端末１には、例えば、図７に示すように、各画像１１１に対応して、色合いを操作するための右ボタン１３２および左ボタン１３３が、明るさを操作するための右ボタン１１２および左ボタン１１３の下に追加される。そして、色合い用の左右ボタン１３２，１３３が、照明装置９２の色合いを指示する入力を受け付ける入力部１２として機能する。また、照明装置９２の色合いを示す図形である色合い表示１３４が、明るさを示す明度表示１１４の下に設けられる。
【００５７】
色合い用の右ボタン１３２に操作者の指が触れると、例えば、対応する画像１１１が示す領域の照明装置９２の色合いが、１段階暖色側へと変化する。同時に、画像１１１が１段階暖色側に偏った画像へと変化し、色合い表示１３４も変化する。左ボタン１３３に操作者の指が触れると、対応する画像１１１が示す領域の照明装置９２の色合いが、１段階寒色側へと変化する。同時に、画像１１１が１段階寒色側に偏った画像へと変化し、色合い表示１３４も変化する。
【００５８】
上記操作が行われる場合、図３に示す照明操作端末１の構成では、記憶部２２に、照明装置９２にて照明が行われる領域を示し、かつ、明るさおよび色合いが互いに異なる画像のデータの集合である画像群データ２２１が記憶される。また、参照テーブル２２２は、画像１１１の明るさおよび色合いと、画像群データ２２１が示す画像との対応関係を示す。これにより、各画像のデータは、明るさおよび色合いと関連づけられた状態で記憶される。
【００５９】
照明操作端末１の動作は、調光状態の操作として、明るさおよび色合いが操作されるという点を除いて図３の場合と同様である。入力部１２に対する操作に応じて表示制御部２１は、各表示領域に現在表示されている画像１１１の明るさおよび／または色合いを変更する。すなわち、表示制御部２１は、照明領域を指示された調光状態に応じた状態にて示す画像のデータを画像群データ２２１から選択し、当該画像を表示部１１に表示させる。また、入力部１２から信号出力部２４を介して照明制御装置９１へと、指示された調光状態に対応する信号が送られ、照明装置９２の明るさおよび／または色合いも同様に変更される。
【００６０】
コンピュータ８の構成および動作は、明るさおよび色合いに関して画像処理が行われるという点を除いて図４の場合と同様である。図８に示すように、画像生成部８１は、明度変更部８１１およびコントラスト変更部８１２に加えて、色相変更部８１３を含む。画像処理としては、輝度、彩度等の色変換の他の処理が含まれてもよい。画像生成部８１が少なくとも明度変更部８１１および色相変更部８１３を含むことにより、基準画像から明るさおよび色合いを変更した変更画像のデータを生成することができる。
【００６１】
以上に説明したように、照明操作端末１では、照明装置９２の調光状態を操作するためのボタンである操作要素に対応付けられるようにして照明装置９２が照明を行う領域の画像１１１が表示されるため、操作要素がいずれの領域の調光状態の操作に用いられるか容易に把握することができる。また、照明装置９２の調光状態の変更に合わせて画像１１１の明るさおよび色合いも変化するため、調光される領域の明るさのみならず、色合いも容易に把握することができる。その結果、調光操作を速やかに行うことができる。画像群データ２２１は、１つの基準画像データ３１からコンピュータ８によりほぼ自動的に生成されるため、容易に画像群データ２２１を準備することができる。
【００６２】
なお、図７に示すように消費電力表示１１５が設けられることにより、色合いが異なる場合であっても、消費電力を正確に把握することができる。
【００６３】
図５に示す他の例に係る照明操作端末１の構成においても、照明装置９２の明るさおよび色合いの操作が行われてよい。この場合、朝画像群データ２２１ａ、昼画像群データ２２１ｂ、夕画像群データ２２１ｃおよび夜画像群データ２２１ｄのそれぞれが、明るさおよび色合いを変更した画像群のデータとなる。既述のように、時計部２５から入力される現在の時計情報は、季節、月、週、曜日等であり、季節に応じて画像群データが選択されてもよい。表示制御部２１は、現在の時計情報に基づいて、現在の時計情報に対応し、かつ、指示された調光状態に対応する画像１１１を表示部１１に表示する。
【００６４】
図６に示すさらに他の例に係る照明操作端末１の構成においても、照明装置９２の明るさおよび色合いの操作が行われてよい。この場合、記憶部２２には基準画像データ３１のみが記憶され、操作要素が操作されると、画像生成部２６が対応する基準画像データ３１を取り込んで現在表示されている画像１１１の明るさおよび／または色合いを変更した画像のデータを生成し、表示制御部２１によりこの新しい画像１１１、並びに、更新された明度表示や色合い表示等が表示部１１に表示される。
【００６５】
なお、既述のように、照明操作端末１が照明装置９２の色合いのみ（正確には、色合い並びに点灯および消灯）を操作してもよい。この場合、上記説明における明るさの操作に係る構成および動作は適宜省略される。
【００６６】
以上のように、照明操作端末１は、照明装置９２の明るさおよび色合いの少なくとも一方の指示の入力を受け付ける。記憶部２２に画像データが準備される場合は、照明領域の明るさおよび色合いの少なくとも一方が互いに異なる画像群のデータが記憶される。
【００６７】
照明操作端末１には、コンピュータ８が行う全ての機能が設けられてもよい。すなわち、照明操作端末１にて、基準画像データ３１の記憶、複数の変更画像データ３２の生成、および、参照テーブル３３の生成が行われてもよい。
【００６８】
以上、照明操作端末１の構成および動作について説明したが、本発明は上記実施の形態に限定されるものではなく、様々な変形が可能である。
【００６９】
表示部１１および入力部１２は、タッチパネル装置１０を利用することなく実現されてもよい。例えば、表示部１１がＦＰＤ（フラットパネルディスプレイ）であり、入力部１２がＦＰＤの周囲に配置されたボタンであってもよい。入力部１２は、レバーやダイヤルでもよい。
【００７０】
画像群データ２２１が示す画像群は、１つの基準画像から生成されたものでなくてもよい。画像群よりも少ない数の画像のデータから画像群データ２２１をコンピュータ８や画像生成部２６により生成することより、画像群データ２２１をある程度容易に生成することができる。また、画像群は、基準画像のコントラストを変更することなく生成されてもよい。少なくとも明度または色相を変更することにより、適切な画像群データ２２１を生成することができる。
【００７１】
画像１１１は撮像により取得されたものでなくてもよい。例えば、ＣＧ（コンピュータグラフィックス）を利用して生成されたもの、あるいは、写真とＣＧ画像とを合成したものでもよい。
【００７２】
図５に示す構成において、昼画像群データ２２１ｂおよび夜画像群データ２２１ｄのみが用いられてもよい。同一照明領域を示す画像群データが少なくとも２つ準備されることにより、的確な画像表示が実現される。
【００７３】
画像群データ２２１が示す各画像と、明るさ（または消費電力）や色合いである調光状態は、参照テーブル２２２以外の手法により関連づけられてもよい。例えば、各画像のデータに明るさ、消費電力、色合い等の情報が含められてよい。また、各画像と調光状態との関連づけは、コンピュータ８ではなく、照明操作端末１にて行われてもよい。
【００７４】
照明装置９２の調光状態を示す補助表示は、表示制御部２１により表示部１１に、照明装置９２の明るさや色合いを示す数値、記号または図形等として表示されるのであれば、図１に示す明度表示１１４、色合い表示１３４、消費電力表示１１５等には限定されない。
【００７５】
上記実施の形態では、指示された調光状態に対応する信号が、信号出力部２４から照明制御装置９１を介して照明装置９２へと間接的に出力されるが、照明制御装置９１の機能が照明操作端末１内に設けられ、信号出力部２４から照明制御装置９１に信号が直接的に出力されてもよい。
【００７６】
上記実施形態および各変形例における構成は、相互に矛盾しない限り適宜組み合わされてよい。
【符号の説明】
【００７７】
１    照明操作端末
８    コンピュータ
１０    タッチパネル装置
１１    表示部
１２    入力部
２１    表示制御部
２２    記憶部
２３    通信部
２４    信号出力部
２５    時計部
３１    基準画像データ
９２    照明装置
１１１    画像
１１４    明度表示
１１５    消費電力表示
２２１    画像群データ
【図３】
2013065465.tif 000003
【図４】
2013065465.tif 000004
【図５】
2013065465.tif 000005
【図６】
2013065465.tif 000006
【図８】
2013065465.tif 000007
【図１】
2013065465.tif 000008
【図２】
2013065465.tif 000009
【図７】
2013065465.tif 000010